【手続補正書】
【提出日】平成17年2月14日(2005.2.14)
【手続補正１】
【補正対象書類名】明細書
【補正対象項目名】請求項１
【補正方法】変更
【補正の内容】
【請求項１】
所定の入賞にもとづいて景品としての景品遊技媒体を払い出すことが可能な遊技機であって、
遊技の進行を制御する遊技制御手段と、
遊技媒体の払い出しを行う払出手段と、
前記遊技制御手段からの信号にもとづいて前記払出手段の制御を行う払出制御手段と、
前記払出手段により払い出された景品遊技媒体を検出する景品遊技媒体検出手段とを備え、
前記遊技制御手段は、前記所定の入賞にもとづいて遊技者に払い出される景品遊技媒体の払出数を特定可能な景品数指令信号を前記払出制御手段に送信する景品情報送信手段を含み、
前記払出制御手段は、
景品数指令信号にもとづく遊技媒体の払出が終了すると、払出の終了を示す払出終了信号を前記遊技制御手段に送信する払出終了信号送信手段と、
払出手段の動作を禁止すべき払出禁止条件が成立したか否かを判定する払出禁止状態判定手段と、
該払出禁止状態判定手段により前記払出禁止条件が成立したと判定したときにその旨を示す払出禁止状態信号を前記遊技制御手段に送信する払出状態通知手段とを含み、
前記景品遊技媒体検出手段からの検出信号は、前記遊技制御手段に入力され、
前記遊技制御手段は、
前記払出終了信号を受信したか否か確認する払出終了信号受信確認手段と、
前記景品遊技媒体検出手段からの検出信号の入力状態を監視して前記景品数指令信号によって指定した払出数の景品遊技媒体が払い出されたか否かを判定する払出判定手段と、
前記払出禁止状態信号を受信したとき、および前記景品数指令信号を送信してから所定期間内に前記払出終了信号受信確認手段によって前記払出終了信号の受信が確認されなかったときに、所定の異常時処理を実行する異常時処理実行手段とを含み、
前記遊技制御手段は、前記払出終了信号受信確認手段によって前記払出終了信号の受信が確認され、かつ、前記払出判定手段によって前記景品数指令信号により指定した払出数の景品遊技媒体が払い出されたと判定されたときに、前記払出制御手段における景品遊技媒体の払い出し制御が完了したと判定する
ことを特徴とする遊技機。
【手続補正２】
【補正対象書類名】明細書
【補正対象項目名】請求項５
【補正方法】変更
【補正の内容】
【請求項５】
異常時処理実行手段は、所定の異常時処理として遊技を中断させるための処理を行う
請求項１から請求項４のうちのいずれかに記載の遊技機。
【手続補正３】
【補正対象書類名】明細書
【補正対象項目名】０００７
【補正方法】変更
【補正の内容】
【０００７】
【課題を解決するための手段】
本発明による遊技機は、所定の入賞にもとづいて景品としての景品遊技媒体を払い出すことが可能な遊技機であって、遊技の進行を制御する遊技制御手段（例えばＣＰＵ５６等）と、遊技媒体の払い出しを行う払出手段（例えば球払出装置９７）と、遊技制御手段からの信号にもとづいて払出手段の制御を行う払出制御手段（例えば払出制御用ＣＰＵ３７１等）と、払出手段により払い出された景品遊技媒体を検出する景品遊技媒体検出手段（例えば賞球カウントスイッチ３０１Ａ）とを備え、遊技制御手段が、所定の入賞にもとづいて遊技者に払い出される景品遊技媒体の払出数を特定可能な景品数指令信号（例えば賞球個数指定の払出制御コマンド）を払出制御手段に送信する景品情報送信手段（例えば遊技制御手段のうちステップＳ１９４，Ｓ１９５を実行する部分）を含み、払出制御手段が、景品数指令信号にもとづく遊技媒体の払出が終了すると、払出の終了を示す払出終了信号（例えば賞球終了指定の払出情報コマンド）を遊技制御手段に送信する払出終了信号送信手段と、払出手段の動作を禁止すべき払出禁止条件（例えば下皿満タンや補給球切れ）が成立したか否かを判定する払出禁止状態判定手段（例えば払出制御手段におけるステップＳ７５３の払出禁止状態設定処理を実行する部分やステップＳ７５９のエラー処理を実行する部分）と、払出禁止状態判定手段により払出禁止条件が成立したと判定したときにその旨を示す払出禁止状態信号（例えば払出禁止状態指定の払出情報コマンドまたはエラー指定の払出情報コマンド）を遊技制御手段に送信する払出状態通知手段（例えば払出制御手段におけるステップＳ２０８，Ｓ２０９やＳ６４１〜Ｓ６４３を実行する部分）とを含み、景品遊技媒体検出手段からの検出信号は、遊技制御手段に入力され、遊技制御手段が、払出終了信号を受信したか否か確認する払出終了信号受信確認手段と、景品遊技媒体検出手段からの検出信号の入力状態を監視して景品数指令信号によって指定した払出数の景品遊技媒体が払い出されたか否かを判定する払出判定手段と、払出禁止状態信号を受信したとき、および景品数指令信号を送信してから所定期間（例えば払出制御手段が賞球個数指定の払出制御コマンドに応じた払出制御を完了させるのに十分な時間）内に払出終了信号受信確認手段によって払出終了信号の受信が確認されなかったときに、所定の異常時処理（例えば表示制御手段や払出制御手段に異常を報知させるための制御、遊技の不能動化、異常発生を示す試験信号出力）を実行する異常時処理実行手段とを含み、遊技制御手段が、払出終了信号受信確認手段によって払出終了信号の受信が確認され、かつ、払出判定手段によって景品数指令信号により指定した払出数の景品遊技媒体が払い出されたと判定されたときに、払出制御手段における景品遊技媒体の払い出し制御が完了したと判定することを特徴とする。
【手続補正４】
【補正対象書類名】明細書
【補正対象項目名】００１１
【補正方法】変更
【補正の内容】
【００１１】
異常時処理実行手段が、所定の異常時処理として遊技を中断させるための処理を行う（例えば可変表示装置９や普通図柄表示器１０における可変表示を中断する）ように構成されていてもよい。
【手続補正５】
【補正対象書類名】明細書
【補正対象項目名】０３３６
【補正方法】変更
【補正の内容】
【０３３６】
【発明の効果】
以上のように、請求項１記載の発明では、遊技機を、遊技制御手段が、所定の入賞にもとづいて遊技者に払い出される景品遊技媒体の払出数を特定可能な景品数指令信号を払出制御手段に送信する景品情報送信手段を含み、払出制御手段は、景品数指令信号にもとづく遊技媒体の払出が終了すると、払出の終了を示す払出終了信号を遊技制御手段に送信する払出終了信号送信手段と、払出手段の動作を禁止すべき払出禁止条件が成立したか否かを判定する払出禁止状態判定手段と、払出禁止状態判定手段により払出禁止条件が成立したと判定したときにその旨を示す払出禁止状態信号を遊技制御手段に送信する払出状態通知手段とを含み、景品遊技媒体検出手段からの検出信号は、遊技制御手段に入力され、遊技制御手段が、払出終了信号を受信したか否か確認する払出終了信号受信確認手段と、景品遊技媒体検出手段からの検出信号の入力状態を監視して景品数指令信号によって指定した払出数の景品遊技媒体が払い出されたか否かを判定する払出判定手段と、払出禁止状態信号を受信したとき、および景品数指令信号を送信してから所定期間内に払出終了信号受信確認手段によって払出終了信号の受信が確認されなかったときに、所定の異常時処理を実行する異常時処理実行手段とを含み、遊技制御手段が、払出終了信号受信確認手段によって払出終了信号の受信が確認され、かつ、払出判定手段によって景品数指令信号により指定した払出数の景品遊技媒体が払い出されたと判定されたときに、払出制御手段における景品遊技媒体の払い出し制御が完了したと判定するように構成したので、払出手段の動作を禁止する条件が成立したことを遊技制御手段が認識することが可能になる効果がある。また、払出制御手段の動作が不良になったことを遊技制御手段において検出することができる。
【手続補正６】
【補正対象書類名】明細書
【補正対象項目名】０３４０
【補正方法】変更
【補正の内容】
【０３４０】
請求項５記載の発明では、異常時処理実行手段が、所定の異常時処理として遊技を中断させるための処理を行うように構成されているので、払出禁止状態などの異常が発生しているにもかかわらず遊技が続行されてしまうことを防止できる。